(57)【要約】【課題】システムキッチンにおいてビルトイン食器洗い乾燥器下を有効に活用する。【解決手段】システムキッチンにおいて上部に食器洗い乾燥機１３を配置し、その配管２１がその底面に存在するとき、その配管２１を考慮して前面に給排気口１９をもつ放熱用ダクト２０をキャビネット１６の下部に取り付け、意匠パネルドア２２とドア断熱材２３で形成されたシステムキッチン組み込み用冷蔵庫１４をシステムキッチン外枠１５の食器洗い乾燥器１３の下部に設置することによりその空間の温度環境を一定に保ち、安全性を高め、有効化を図る。【選択図】図３
2005152523.tif 000002
【特許請求の範囲】
【請求項１】
システムキッチンにおいて上部に加熱機器を配置し、その下部の縦方向に並べて収納し、その放熱用ダクトが収納部の下部にあることを特徴としたシステムキッチン組み込み式冷蔵庫。
【請求項２】
加熱機器が食器洗い乾燥機であることを特徴とする請求項１記載のシステムキッチン組み込み式冷蔵庫。
【請求項３】
システムキッチンにおいて食器洗い乾燥機とその給水・排水のための配管部の上下間に挟まれた空間に設置するために、放熱用ダクトを冷蔵庫奥面で縮小することを特徴とするシステムキッチン組み込み式冷蔵庫。
【請求項４】
天面の断熱壁内に真空断熱材を複層していることを特徴とする請求項１から３いずれか一項に記載のシステムキッチン組み込み式冷蔵庫。
【請求項５】
底面の断熱壁内に真空断熱材を複層していることを特徴とする請求項１から４にいずれか一項に記載のシステムキッチン組み込み式冷蔵庫。
【請求項６】
側面の断熱壁の厚さは２０ｍｍ以上３０ｍｍ以下であることを特徴とする請求項１から５のいずれか記載のシステムキッチン組み込み式冷蔵庫。
【請求項７】
冷却方式において、ペルチェ素子を利用した電子式冷蔵庫であることを特徴とした請求項１から６いずれか一項に記載のシステムキッチン組み込み式冷蔵庫。
【発明の詳細な説明】
【技術分野】
【０００１】
本発明はシステムキッチン等の収納空間に収納できるよう構成したシステムキッチン組み込み式冷蔵庫に係り、詳しくは、その収納形態及びその構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、上部より食器がセットできるタイプのものが増えてきて、キッチンのカウンター高さで食器がセットできる。そのため、食器洗い作業が非常にやりやすくなっている。
【０００３】
しかし、その食器洗い乾燥機の下については、その位置付けが中途半端になっており、例えば、その部分については、嵌め殺しにして無効空間にしている場合や、生ごみ処理機をビルトイン設置している例もある（例えば、特許文献１参照）。
【０００４】
図８は、特許文献１に記載された従来の食器洗い乾燥機下に設置された生ごみ処理機を示すものである。図８に示すように、システムキッチン１は、シンク２、収納部３、オーブンレンジ４、ガス（又は電気）クッキングテーブル５、食器洗い乾燥機６、生ごみ処理機７とから構成されている。
【０００５】
このように、食器洗い乾燥機６の下方スペースに生ごみ処理機７を収納することにより、調理時に出た生ごみや、食事の後に食器に残った残菜などを、一旦生ごみ処理機７に投入し、その場で食器洗い乾燥機６に容器や食器を入れて運転することができる。そのため、キッチンで食器の後かたづけのためにあちこち移動しなければならないということが少なくなり、家事作業が大幅に低減される。
【０００６】
また、あまり有効に利用されていない食器洗い乾燥機６の下方空間（上方でも良い）に並べて配置しているため、生ごみ処理機７を収納するために他の機器や収納棚をキッチンからはずさなければならないということも無く、生ごみ処理機６がユーザに受け入れやすくなり、社会的に見てもごみの減量化等につながるものである。
【０００７】
またその一方で、近年、調味料の多様化や、デイスカウントストアーの増加により食品等を買い置きする世帯が増加しており、そのため、家庭内に設置されている冷蔵庫では、食品が十分に収納しきれていない世帯もある。
【特許文献１】特開２００３−１９０４４号公報
【発明の開示】
【発明が解決しようとする課題】
【０００８】
しかしながら、上記従来構成では、食器洗い乾燥機運転時には、機器の発熱により周囲温度が上昇し、下部の収納スペースに温度上昇等の課題を有していた。
【０００９】
本発明は、上記従来の課題を解決するものもので、システムキッチン等の収納空間に収納できるよう構成した冷蔵庫を提供することを目的とする。
【課題を解決するための手段】
【００１０】
上記従来の課題を解決解決するために、本発明の冷蔵庫は、システムキッチンにおいて上部に加熱機器、特に食器洗い乾燥機を配置し、その下部の縦方向に並べて収納することとしたものである。
【００１１】
これによって、システムキッチンで上部にコンロ、オーブン、ＩＨ調理機などの加熱機器を配置されたその下空間の環境をある一定の温度環境に保つことができる。
【００１２】
また、加熱機器が食器洗い乾燥機である場合、その給水・排水のための配管部の上下間に挟まれた空間に設置し収納することとしたものである。
【００１３】
これによって、食器洗い乾燥機と配管があり、通常は無効空間にしていたものを温度一定の収納庫にすることにより、収納物の安全を保つことができ、有効な空間にすることができる。
【発明の効果】
【００１４】
本発明の冷蔵庫は、システムキッチン内の限られた空間において、システムキッチンの枠内に簡単にビルトイン設置でき、それにより、その空間の温度を一定にし、また収納量を確保することができる。
【発明を実施するための最良の形態】
【００１５】
請求項１に記載の発明は、上部に加熱機器を配置したしシステムキッチンのユニット部において、その下部の縦方向に放熱用ダクトを下部に設置した冷蔵庫を並べて収納することにより、その下の空間を上部の加熱機器の熱影響を断熱箱体と冷却ユニットにより温度を一定にできる空間を提供することができる。
【００１６】
請求項２に記載の発明は、請求項１記載の発明の加熱機器を食器洗い乾燥機とすることにより、その下部について食器洗い乾燥機運転時の下部の温度環境を運転の影響をうけにくくすることができる。
【００１７】
請求項３に記載の発明は、請求項１または２記載の冷蔵庫において加熱機器の配管がその床にある場合、加熱機器と配管の間に冷蔵庫をビルトインできるように放熱用ダクトを配管に考慮して構成することにより加熱機器や配管等の熱影響を軽減し、かつ、その空間の収納量を確保し価値を高めることができる。
【００１８】
請求項４に記載の発明は、請求項１から３記載の冷蔵庫において、天面の断熱壁の中に真空断熱材を他の断熱材と複層することにより、食器洗い乾燥機などが運転するときの加熱よる周囲への影響を軽減することができ、また、庫内を一定温度すると共に庫内容量を確保できる。
【００１９】
請求項５に記載の発明は、請求項１から４記載の冷蔵庫において、底面の断熱壁の中に真空断熱材を他の断熱材と複層することにより、食器洗い乾燥機などが運転するときの排水などの加熱よる周囲への影響を軽減することができ、また、庫内を一定温度すると共にさらに庫内容量を確保できる。
【００２０】
請求項６に記載の発明は、請求項１から５記載の冷蔵庫において、側面の断熱壁の厚さを２０ｍｍ以上３０ｍｍ以下にすることによりキャビット側面の発汗を防止しつつ幅方向の収納容積を確保することができる。
【００２１】
請求項７に記載の発明は、請求項１から６記載の冷蔵庫において、冷却方式はコンパクトに収納できるペルチェ素子を用いた電子冷却ユニットを用いることにより、食器洗い乾燥機下など寸法が制限された空間でも収納するに十分な空間を提供できる。
【００２２】
以下、本発明の実施の形態について、図面を参照しながら説明する。なお、実施の形態によってこの発明が限定されるものではない。
【００２３】
（実施の形態１）
図１は、本発明の実施の形態１におけるシステムキッチン組立時の冷蔵庫の斜視図であり、システムキッチンの一部１１は奥行き・幅・高さなどで様々な種類があり、調理などをするワークトップ１２はシステムキッチン１１の上部に構成されており、ワークトップ１２の下にビルトインされた食器洗い乾燥機１３、その下に本発明のシステムキッチン組み込み式冷蔵庫１４で構成されている。また、それらは外枠１５によって固定されシステムキッチンとして役目を果たす。
【００２４】
また、図２は、同実施の形態のシステムキッチン１１の外枠１５に冷蔵庫１４との挿入を示す斜視図であり、本実施の形態の冷蔵庫１４は、キャビネット１６とドア１７、キャビネット１６とドア１７をシールするために用いられるガスケット１８、冷蔵庫の冷却システムにおける高温側の放熱を行うために前面に給排気口１９を設けたダクト２０で構成されている。
【００２５】
さらに、図３は同実施の形態の外枠１５に食器洗い乾燥機１３や冷蔵庫１４を設置した時の断面図であり、冷蔵庫１４上部に設置されている食器洗い乾燥機１３の給排水を行うための配管２１、配管２１の開閉を行うことができる蛇口２１ａである。また、ドア１７はシステムキッチン外観を統一するためなどに用いられる意匠パネルドア２２と冷蔵庫庫内を断熱するためのドア断熱材２３を組み合わせて構成されている。
【００２６】
さらに、図４は、同実施の形態のシステムキッチン組み込み式冷蔵庫の斜視図であり、冷蔵庫１４の後方には、放熱空間と外枠を仕切るための庫外カバー２４があり、これによりダクト２０と庫外カバー２４により、放熱風路を構成し排熱を行っている。
【００２７】
図５は同実施の形態のシステムキッチン組み込み式冷蔵庫の断面図であり、冷蔵庫庫内は冷却器２５と収納部２６を分ける庫内カバー２７で冷蔵庫庫内を構成している。また、冷却ユニットとして冷却器２５は、ペルチェ素子２８、冷却器２５とペルチェ素子２８の熱交換させるためのヒートコンダクタ２９、ペルチェ素子２８によって出された熱を排熱するための高温側の放熱器３０で構成されている。
【００２８】
このように、システムキッチン１１にビルトイン機器を装着する場合、外枠１５に入れ込む方式をとるのが一般的である。しかし、食器洗い乾燥機１３をビルトインした場合、食器洗い乾燥機１３の配管２１があり、食器洗い乾燥機１３下の空間が無効になる場合があるが、本実施の形態のシステムキッチン組み込み式冷蔵庫１４では、配管２１を避けて効率よく放熱側のダクト２０を構成しており、また、給排気口２０は風量を確保できるようその間口も最大限に確保している。
【００２９】
さらに、冷蔵庫１４の側面に風路を構成していないため、幅方向には、収納量を最大に取れるよう配慮できる。さらに、ダクト２０の給排気口１９を下部に設置したことにより、システムキッチンの外観を損ねることが防止できる。
【００３０】
さらに、冷蔵庫１４をビルトイン式にしたことによりシステムキッチンから着脱が可能になるよう、上下左右に僅かな隙を設けていることにより、万一の故障のときでも、簡単に取り出すことができる。
【００３１】
さらに、その隙により、断熱性も向上する。さらに、食器洗い乾燥機１３が運転して食器洗い乾燥機１３やその周囲、また、冷蔵庫１４下部にある配管２１などが高温になっても、冷蔵庫１４は、温度が一定であり、食品の安全性や収納物の安全性を高めることができる。
【００３２】
また、食器洗い乾燥器１３の故障の場合でも、冷蔵庫１４はシステムキッチン組み込み式であるため、すぐに着脱し、給水・排水のための配管２１の蛇口２１ａを閉めることが容易にでき、食器洗い乾燥機１３の異常時に対応できる。
【００３３】
また、ダクト２０の前面部の給排気口１９を着脱可能にすれば、更に、冷蔵庫１４を着脱しなくとも蛇口２１ａを閉めることができ、さらに食器洗い乾燥機１３の異常時に対応できる。
【００３４】
なお、食器洗い乾燥機１３が他の加熱機器であっても、その下部が本実施の形態の冷蔵庫なら温度は一定に保つことができ、収納物の安全性を向上させることができる。また、配管２１が冷蔵庫１４の下にない場合でも、奥行き寸法を考慮しておけば、冷蔵庫１４は取り付けられることができ、配管の設置位置に関係なくビルトイン機器としてシステムキッチンに組み込むことができ、現存するあらゆる配管形状に対応できる。
【００３５】
さらに、冷蔵庫１４は、温度の設定により保冷庫や乾燥庫としても使用することができる。
【００３６】
（実施の形態２）
図６は、本発明の実施の形態２におけるシステムキッチン組み込み式冷蔵庫の断面図であり、冷蔵庫の天面、底面には極めて断熱性の高い熱伝導率が０．００４Ｗ／ｍＫの真空断熱材３１とそれ以外の断熱材（例えば、硬質ウレタンフォーム３２）で構成されている。
【００３７】
また、図７は、本発明の実施の形態２におけるシステムキッチン組み込み式冷蔵庫の壁面の特性図である。なお、実施の形態１と同一符号のものが同一構造を有し、説明は省略する。
【００３８】
システムキッチン１１において、１つのビルトイン機器が占める容積は限られているため、その収納効率向上は必須である。例えば、冷蔵庫１４において、配管２１により高さ方向に制限があり、収納寸法の確保が重要である。そこで、上下壁に関して、薄壁化などが必要であるが、単純に薄壁化すると断熱性能が劣化し、冷却能力不足による庫内温度上昇やキャビネット外郭の発汗が問題になる。
【００３９】
そこで冷蔵庫１４の天面、底面に断熱性の優れた真空断熱材３１を他の断熱材と複層することにより薄壁化し、高さ方向の寸法を確保することができる。例えば、真空断熱材３１を使用することにより、壁厚を５ｍｍ短縮しても、庫内温度は、真空断熱材を使用していないときと比較すると１Ｋ下がる。
【００４０】
また、特にＪＩＳの基本条件でもある外気温度３０℃、庫内温度５℃、日本などの高湿な状態を仮定して相対湿度８７％とすると、図７の特性図に示すように真空断熱材３１があれば、真空断熱材３１を仕様した場合のキャビネット外郭温度を示す温度曲線３４のように露点温度３３を大きく上回り発汗が抑制できる。
【００４１】
また、設計、製造上、被覆率１００％にはできないので、真空断熱材のないところの発汗などの対応を考慮した場合、真空断熱材３１を使用していないときを示す温度曲線３５を見ると、壁厚１８ｍｍ以下ではキャビネット外郭が発汗する恐れがある。これは、熱通過率曲線３６，３７で差が明らかに示されており、ばらつき等を考え、本実施の形態の冷蔵庫１４の場合、壁厚は２０ｍｍ以上３０ｍｍ以内が収納量を確保でき、かつ断熱性も確保できる最適な壁厚だと考えられる。
【００４２】
なお、硬質ウレタンフォーム３２は、通常の断熱材の意味で使用しており、それに限定するものではなく、たとえば、発泡スチロールでもかまわない。また、被覆率を大きくできれば複層ではなく真空断熱材３１のみで構成することも可能であり、更に高さ方向の収納量が増加することができる。
【産業上の利用可能性】
【００４３】
以上のように、本発明にかかる冷蔵庫は、加熱機器が近接し、また限られた空間を有効に活用できるのでシステムキッチンなどのビルトイン機器などの用途にも適用できる。
【図面の簡単な説明】
【００４４】
【図１】本発明の実施の形態１におけるシステムキッチン組立時の冷蔵庫の斜視図
【図２】本発明の実施の形態１におけるシステムキッチンの外枠に冷蔵庫の挿入を示す斜視図
【図３】本発明の実施の形態１における外枠ユニット挿入時の断面図
【図４】本発明の実施の形態１におけるシステムキッチン組み込み式の冷蔵庫の斜視図
【図５】本発明の実施の形態１におけるシステムキッチン組み込み式冷蔵庫の断面図
【図６】本発明の実施の形態２におけるシステムキッチン組み込み式冷蔵庫の断面図
【図７】本発明の実施の形態２におけるシステムキッチン組み込み式冷蔵庫の壁面の特性図
【図８】従来のシステムキッチンにおける外観図
【符号の説明】
【００４５】
１１    システムキッチン本体の一部
１３    食器洗い乾燥機
１４    システムキッチン組み込み冷蔵庫
２０    放熱用ダクト
２１    配管
２６    収納部
２８    ペルチェ素子
３１    真空断熱材
３２    硬質ウレタンフォーム
【図１】
2005152523.tif 000003
【図２】
2005152523.tif 000004
【図３】
2005152523.tif 000005
【図４】
2005152523.tif 000006
【図５】
2005152523.tif 000007
【図６】
2005152523.tif 000008
【図７】
2005152523.tif 000009
【図８】
2005152523.tif 000010